(57)【特許請求の範囲】
【請求項１】
第１のインタフェース規格による第１の装置と、第２のインタフェース規格による第２の装置とを接続する異種インタフェース規格による装置間の接続ケーブルにおいて、
複数の信号線を含むケーブルと、
前記第１装置に接続される前記ケーブルの一端に設けられ、前記第１の装置に接続するための前記第１のインタフェース規格に適応する第１のコネクタと、
前記第２装置に接続される前記ケーブルの他端に設けられ、前記第２の装置に接続するための前記第２のインタフェース規格に適応する第２のコネクタと、
前記第１のコネクタと前記第２のコネクタを接続する前記ケーブルの複数の信号線のうちの、前記第１の装置のドライバと前記第２の装置のレシーバを接続する信号線に挿入され、前記第２の装置における前記第２のインタフェース規格のレシーバで受信する電圧が、前記第２のインタフェース規格の規格内の電圧となるように、前記第１の装置の前記第１のインタフェース規格のドライバが必要とする終端抵抗値の範囲に入る抵抗器と、
を備えることを特徴とする異種インタフェース規格による装置間の接続ケーブル。
【請求項２】
前記第１の装置がコンピュータ、前記第２の装置が前記コンピュータによって制御されるビデオ装置であり、前記第１のインタフェース規格は、ＲＳ−２３２Ｃであり、前記第２のインタフェース規格は、ＲＳ−４２２Ａであることを特徴とする請求項１記載の異種インタフェース規格による装置間の接続ケーブル。
【発明の詳細な説明】
【０００１】
【発明の属する技術分野】
本発明は異種インタフェース規格による装置間の接続ケーブルに関し、特にＲＳ(Recommended Standard)−２３２Ｃ規格のコンピュータ等の装置と、ＲＳ−４２２Ａ規格のＶＴＲ(Video Tape Recorder) 等の他の装置との接続に用いて好適な異種インタフェース規格による装置間の接続ケーブルに関する。
【０００２】
【従来の技術】
従来、例えば図１１の異種インタフェース規格による装置間の接続構成ブロック図に示すように、後述するＲＳ−２３２Ｃのコンピュータ１０と、ＲＳ−４２２ＡのＶＴＲ２０とを接続する場合、インタフェース規格が異なるため、電圧変換装置３０を介して接続を行っていた。
【０００３】
ここで、インタフェース規格について説明する。ＲＳ−２３２Ｃは、上記したコンピュータ１０を初めとする機器に多く搭載されている外部装置とのインターフェース規格である。
【０００４】
ＲＳ−４２２Ａは、計測器、通信機器、業務用ＶＴＲ、業務用テープレコーダなどの外部コントロールが可能なデバイスに適用されているインタフェース規格である。
【０００５】
ＲＳ−４２２ＡのＶＴＲ２０では、図１２に示すように、全二重通信チャンネル、転送速度３８．４Ｋｂ／ｓ、１スタートビット（ＳＴＡＲＴ  ＢＩＴ）、８データビット（Ｄ０〜Ｄ７）、１パリティービット（ＲＡＲＩＴＹ）、１ストップビット（ＳＴＯＰ  ＢＩＴ）というフォーマットで通信を行うようになっている。
【０００６】
このフォーマット自体は、コンピュータ１０のＲＳ−２３２Ｃでも実現できる規格であるため、ＲＳ−２３２ＣとＲＳ−４２２Ａの電庄を変換することができれば相互に通信が可能となる。
【０００７】
そこで、従来では上述したように、コンピュータ１０とＶＴＲ２０とを電圧変換装置３０を介して接続している。電圧変換装置３０のブロック図を図１３に示す。この図１３に示すように、電圧変換装置３０は、ＶＴＲ２０に接続されるＲＳ−４２２Ａコネクタ３１と、コンピュータ１０に接続されるＲＳ−２３２Ｃコネクタ３２とを備え、また、双方の端子３２と３１間に従属接続されたＲＳ−４２２Ａレシーバ３３及びＲＳ−２３２Ｃドライバ３４と、ＲＳ−２３２Ｃレシーバ３５及びＲＳ−４２２Ａドライバ３６と、電源ユニット３７とを備えて構成されている。
【０００８】
このように、ＶＴＲ２０側はＲＳ−４２２Ａの信号規格でインタフェースされているため、その規格に適合したレシーバ３３及びドライバ３６で送受信を行なう。同様に、コンピュータ１０側ではＲＳ−２３２Ｃのレシーバ３５及びドライバ３４が必要になる。
【０００９】
この両者を接続するため、一度双方のドライバ３４，３６及びレシーバ３３，３５でロジックレベル（例えば、ＴＴＬレベル…Ｌレベル＝０Ｖ、Ｈレベル＝５Ｖ）に変換する必要があった。このような電圧変換装置３０は、半導体を使用した回路なので、当然電源（電源ユニット３７）が必要となる。
【００１０】
【発明が解決しようとする課題】
しかし、上述した従来例においては、インタフェース規格の異なるコンピュータ１０とＶＴＲ２０とを接続する際に、通信信号のロジックレベルを変換し、この変換のために電源を必要とする電圧変換装置３０を介する必要があり、このため、容易に接続が行えず、また接続構成が大きくなり、更には余分な電源を必要とする問題があった。
【００１１】
本発明は、インタフェース規格の異なる装置同士を、電源が不要な簡易な接続構成で接続することができる異種インタフェース規格による装置間の接続ケーブルを提供することを目的とする。
【００１２】
【課題を達成するための手段】
本発明の異種インタフェース規格による装置間の接続ケーブルは、第１のインタフェース規格による第１の装置と、第２のインタフェース規格による第２の装置とを接続する異種インタフェース規格による装置間の接続ケーブルにおいて、複数の信号線を含むケーブルと、第１装置に接続されるケーブルの一端に設けられ、第１の装置に接続するための第１のインタフェース規格に適応する第１のコネクタと、第２装置に接続されるケーブルの他端に設けられ、第２の装置に接続するための第２のインタフェース規格に適応する第２のコネクタとを備えている。
そして、第１のコネクタと第２のコネクタを接続する前記ケーブルの複数の信号線のうちの、第１の装置のドライバと第２の装置のレシーバを接続する信号線に挿入され、第２の装置における第２のインタフェース規格のレシーバで受信する電圧が、第２のインタフェース規格の規格内の電圧となるように、第１の装置の第１のインタフェース規格のドライバが必要とする終端抵抗値の範囲に入る抵抗器と、を備えることを特徴としている。
【００１３】
ここで、ケーブル内の信号線に挿入された抵抗器によって、第１のインタフェース規格のドライバの終端抵抗値が、第１のインタフェース規格のドライバが必要とする終端抵抗値の範囲に収まるので、第１と第２装置間の信号伝送が正しく行われる。
【００１４】
【発明の実施の形態】
以下、本発明の実施の形態を図面を参照して説明する。図１は本発明の原理図である。
【００１５】
この図１に示す異種インタフェース規格による装置間の接続ケーブル４０は、ＲＳ−２３２Ｃのインタフェース規格による第１装置１０と、ＲＳ−４２２Ａのインタフェース規格による第２装置２０とを接続するものである。
【００１６】
その特徴は、第１装置１０のＲＳ−２３２Ｃドライバと、第２装置２０のＲＳ−４２２Ａレシーバとを接続するケーブル４０内の信号線に、ＲＳ−２３２Ｃドライバが必要とする終端抵抗値の範囲に入る抵抗器Ｒｓを挿入し、この挿入された抵抗器Ｒｓによって、ＲＳ−２３２Ｃドライバの終端抵抗値が、ＲＳ−２３２Ｃドライバが必要とする終端抵抗値の範囲に収まることにより、第１装置１０と第２装置２０の間の信号伝送が正しく行われるように構成した点にある。
【００１７】
但し、ケーブル４０は、第１装置１０のＲＳ−２３２Ｃのインタフェース規格のコネクタ１３と、第２装置２０のＲＳ−４２２Ａのインタフェース規格のコネクタ２３とに、各々のインタフェース規格に適合するように勘合されるコネクタ４２，４１を両端に備えている。
【００１８】
また、第１装置１０はコンピュータ、第２装置２０はコンピュータ１０によって制御されるビデオ装置であるとする。
ここで、図２を参照してＲＳ−２３２ＣとＲＳ−４２２Ａとの電気的な規格を説明する。
【００１９】
この図２に示すように、ＲＳ−２３２Ｃは、シングルエンドタイブ（不平衡）の電圧が規定されており、接地（ＧＮＤ）レベルを基準に±の電圧で「０」、「１」の区別を行なっている。一方、ＲＳ−４２２Ａは、平衡伝送の規格であり、＋端子と、−端子とのレベル差から「０」、「１」の区別を行なっている。
【００２０】
また、ＲＳ−２３２Ｃでは、最大±１５Ｖという高い電圧で通信することで、ノイズの影響を避けるという手法をとっており、最長１５ｍまでのケーブルが使用できる。ＲＳ−４２２Ａでは、平衡伝送という手段でノイズの影響を避けることを特徴としており、最大１２００ｍの距離まで通信が可能となっている。
【００２１】
この図２の規格だけから見ると、相互の接続は可能であるが、実はＲＳ−４２２Ａでは電流を流すことで更に耐ノイズ性を高めている。ＲＳ−４２２Ａの規格では、＋端子と−端子間で１００Ωの終端を行なうことが可能になっている。
【００２２】
図３に一般的なＲＳ−４２２Ａで制御可能なＶＴＲ２０の内部回路図を示す。
この図３に示すように、ＲＳ−４２２Ａのレシーバ２１端は、１００Ωの抵抗器Ｒｆで終端されているため、ＲＳ−２３２Ｃとは直接接続できないことになる。
【００２３】
ＲＳ−２３２Ｃの規格では、図２に示したように、要求される入力抵抗値は３ｋ〜７ｋΩなので、１００Ωを直接ドライブする能力が無い。抵抗器を入れずそのまま接続してもＲＳ−４２２Ａが求める電圧が出力される保証もなく、ＩＣの故障を引き起こすおそれもある。
【００２４】
また、多くのＲＳ−２３２ＣドライバＩＣは、出力が短絡した状態を保証しているが、１００Ωという小さな抵抗器をドライブすると消費電力や発熱の問題があるため、ある程度の抵抗器を直列に挿入することが安全である。
【００２５】
このため、規格の３ＫΩ以上という値を目標として、図４のＲＳ−２３２Ｃドライバ１１とＲＳ−４２２Ａレシーバ２１との接続伝送線路図に示すように、伝送線路４０の途中に直列に抵抗器Ｒｓを挿入する。この位置に抵抗器Ｒｓを入れると、今度は、ＶＴＲ２０側のＲＳ−４２２Ａレシーバ２１の−入力端子で必要とされる電圧レベルが確保きないおそれがある。
【００２６】
そこで、実際にコンピュータ１０に使用されているＲＳ−２３２Ｃドライバ／レシーバ１Ｃと、ＶＴＲ２０で使用されているＲＳ−４２２Ａドライバ／レシーバＩＣとの電気的特性を見ると下記のようになっている。但し、それらのＩＣとして比較的よく使用されている代表的な品種の特性を示した。
【００２７】
（ＳＮ７５１５０）
±１２Ｖ電源で動作するＲＳ−２３２Ｃドライバ。
Ｈレベル出力電圧：  ８Ｖ（負荷抵抗３ＫΩ〜７ＫΩ時）。
【００２８】
Ｌレベル出力電圧：−８Ｖ（負荷抵抗３ＫΩ〜７ＫΩ時）。
（ＳＮ７５１５４）
５Ｖ又は１２Ｖ単一電源で動作するＲＳ−２３２Ｃレシーバ。
【００２９】
立ち上がりスレッシュホールド電圧：２．２Ｖ。
立ち下がりスレッシュホールド電圧：１．４Ｖ。
ＲＳ−２３２Ｃ入力抵抗：５ＫΩ。
【００３０】
（ＭＡＸ２３２）
５Ｖ単一電源で動作するＲＳ−２３２Ｃドライバ／レシーバ。
Ｈレベル出力電圧：  ８Ｖ（負荷抵抗３ＫΩ時）。
【００３１】
Ｌレベル出力電圧：−８Ｖ（負荷抵抗３ＫΩ時）。
立ち上がりスレッシュホールド電圧：１．８Ｖ。
立ち下がりスレッシュホールド電圧：１．３Ｖ。
【００３２】
ＲＳ−２３２Ｃ入力抵抗：５ＫΩ。
（ＳＮ７５１５８）
ＲＳ−４２２ドライバ。
【００３３】
Ｈレベル出力電圧：    ３Ｖ（負荷抵抗１００Ω時）。
Ｌレベル出力電圧：０．２Ｖ（負荷抵抗１００Ω時）。
（ＳＮ７５１５７）
ＲＳ−４２２Ａレシーバ。
【００３４】
Ｈレベルスレッシュホールド電圧（△）：  ０．２Ｖ。
Ｌレベルスレッシュホールド電圧（△）：−０．２Ｖ。
これらの特性からわかるように、ＲＳ−４２２Ａでの受信感度は、ＲＳ−４２２Ａの規格の通りで、差動入力の部分で±０．２Ｖあればよい。また、ＲＳ−２３２Ｃドライバにおいては、３ＫΩ負荷時に±８Ｖが出力される。
【００３５】
従って、図４に示した抵抗器Ｒｓ＝３，３００Ωとし、この抵抗器Ｒｓを挿入することで、合計３，４００Ωで終端されることになり、コンピュータ１０側のＲＳ−２３２Ｃドライバ１１が必要としている終端抵抗の値の範囲に入る。
【００３６】
図５に示すように、ＲＳ−２３２Ｃドライバ１１の出力が±８Ｖなので、抵抗器Ｒｓが挿入されると、ＲＳ−４２２Ａレシーバ２１の入力部では、±０．２３５Ｖの電圧が発生することがわかる。
【００３７】
この電圧は、ＲＳ−４２２Ａレシーバ２１が必要とする±０．２Ｖよりも高い電圧であるため、規格を満足していることがわかる。即ち、ＲＳ−２３２Ｃドライバ１１が発生する電圧とＲＳ−４２２Ａレシーバ２１が受け取る電圧はどちらも規格内で整合がとれている。
【００３８】
ここでは、入手の容易さを考えて３，３００Ωの抵抗器Ｒｓを使用したが、例えば、２，９００Ωの抵抗器Ｒｓを使用すると、丁度終端値が３，０００Ωになるため、±０．２６７Ｖとなり、更に電圧のマージンが増え、長距離の通信に有利となる。
【００３９】
また、実際にはＲＳ−２３２Ｃドライバはかなり出力の能力に余裕を持っている。それぞれのＩＣの実測値に応じて、直列に挿入する抵抗器Ｒｓの値を小さくすることができれば、更に余裕が大きくなる。
【００４０】
例えば、２，２００Ωの抵抗器Ｒｓを挿入しても±７Ｖの電圧が出るドライバがあったとすると、７×｛１００÷（１００＋２，２００）｝＝０．３Ｖとなるため、余裕度が大きくなる。
【００４１】
次に、ＲＳ−４２２Ａドライバ信号をＲＳ−２３２Ｃレシーバで受け取る場合の入出力電圧の関係を図６を参照して説明する。
ＲＳ−４２２Ａドライバでは、Ｈレベルが３Ｖ、Ｌレベルが０．２Ｖで出力される（上記ＳＮ７５１５８参照）。一方、ＲＳ−２３２Ｃレシーバでは、本来ならば＋信号は＋側の電圧、−信号は−側の電圧にスレッシュホールドレベルがあるはずであるが、ほとんどのＲＳ−２３２ＣレシーバＩＣでは、５Ｖ単一電源でも動作することが考慮されているため、−側のスレッシュホールド電圧も＋側に存在する。
【００４２】
例えば、ＳＮ７５１５４では＋２．２Ｖ、−１．４Ｖである。また、ＭＡＸ２８２でも、＋１．８Ｖ、−１．３Ｖとなっている。
これらの関係から、ＲＳ−２３２ＣレシーバとしてどちらのＩＣを使用しても、ＲＳ−４２２ＡドライバＩＣの出力電圧との間で十分マージンがあることがわかる。
【００４３】
次に、図７に９ピンタイプのＲＳ−４２２Ａコネクタ（メス）２３を持つＶＴＲ２０の端子配置図を示す。この図７に示す、ＴＸＤは送信、ＲＸＤは受信を意味する。また、それぞれの（＋）、（−）は平衡出力の±を意味する。また、図８に９ピンタイプのＲＳ−２３２Ｃコネクタ（オス）１３を持つコンピュータ１０の端子配置図を示す。ＲＳ−２３２Ｃコネクタ１３は、９ピン接続構成となっており、各ピン１〜９には、テーブル１４に示す通りの信号ＣＤ，ＲＸＤ，ＴＸＤ，ＤＴＲ，ＧＮＤ，ＤＳＲ，ＲＴＳ，ＣＴＳ，ＲＩが割り当てられている。但し、図７では９ピン接続構成となっているが、図示せぬ２５ピンのタイプにおいても実際に接続されるのは９ピンの場合と同じであることが殆どである。２５ピンが全て接続されることは殆どない。
【００４４】
それら双方のコネクタ２３，１３を接続するためのケーブル４０を図９に示す。図９は図１に示す接続ケーブル４０の外観図である。
ケーブル４０の両端にはＲＳ−４２２Ａコネクタ（オス）４１と、ＲＳ−２３２Ｃコネクタ（メス）４２とが接続されている。どちらも同じ９ピンであるが、オス、メスが異なっているためこのケーブル４０を使用しても逆に接続するおそれはない。
【００４５】
また、図１０に図１に示す接続ケーブル４０の内部接続図を示す。この図１０に示すように、ＲＳ−４２２Ａコネクタ４１とＲＳ−２３２Ｃコネクタ４２における接地（ＧＮＤ）同士は、符号４３，４４で示すようにそのまま接続する。
【００４６】
送受信の信号線４５，４６は、図４、図７及び図８の構成を考慮して接続する。このケーブル４０内には抵抗器Ｒｓ（３，３００Ω）が必要とはなるが、それ以外は線を繋ぐだけでよい。
【００４７】
以上説明した実施の形態によれば、ＲＳ−２３２Ｃのコンピュータ１０とＲＳ−４２２ＡのＶＴＲ２０を接続するケーブル４０を、そのケーブル４０内のＲＳ−４２２ＡレシーバとＲＳ−２３２Ｃドライバとを接続する信号線に、ＲＳ−２３２Ｃドライバが必要とする終端抵抗値の範囲に入る抵抗器Ｒｓを挿入して構成したので、従来のような電圧変換装置３０を用いることなく、１本のケーブル４０で通信制御を行うことができる。
【００４８】
従って、インタフェース規格の異なる装置同士を、電源が不要な簡易な接続構成で接続することができる。
また、ＲＳ−２３２Ｃで規定きれた最大通信速度は、２０Ｋｂ／ｓであるが、近年のコンピュータでは、処理速度が向上しており、近い距離での通信ではＶＴＲが必要とする３８．４Ｋｂ／ｓの速度は十分に能力の範囲内におさまっているスピードであり問題はない。
【００４９】
また、１本の抵抗器があれば簡単に接続ケーブル４０の作成が可能であるため、簡易的な通信を行なう際は非常に有効な方法であると考えられ、通常のケーブルを作成するときと比較して、増える部品は抵抗器だけなので、ほとんどコストアップにならない。
【００５０】
別の応用方法としで、このケーブル４０を変換アダプタとして実現することも可能である。変換アダプタは、ＶＴＲ側に繋ぐか、コンピュータ側に撃ぐか、中間に配置するかでコネクタの種類に８通りあるが、どの場合も内部は線材と１本の抵抗だけで構成可能である。
【００５１】
変換アダプタタイプにした場合は、アダプタと装置間は既存のケーブルで接続する。また、変換ケーブルや変換アダプタは、ＲＳ−２３２Ｃでは２５ピン、ＲＳ−４２２Ａでは１５ピンという装置もあるため、その装置や使用したい既存のケーブルに合わせてピン数を調整する必要がある。
【００５２】
この他、ノンリニア編集のための素材アップロード、ダウンロードのコントロールをするため、コンピュータを使用したＶＴＲ制御の必要性が今後ますます増えて来ると考えられる。その際に、本方式の手法を使うと、非常にローコストな接続が可能になる。
【００５３】
一般的なディスクトップ、タワータイプの（逆に言うと、ノートタイプ以外のもの）パーソナルコンピユータでは、ＲＳ−２３２Ｃのポートを２つ持っている。そこで、本実施の形態のケーブル４０を２本と２台のＶＴＲを用意するだけで、コンピュータを使用した１：１の簡易ＣＵＴ編集システムを組むことが可能となる。
【００５４】
【発明の効果】
以上説明したように本発明の異種インタフェース規格による装置間の接続ケーブルは、第１のインタフェース規格による第１装置と、第２のインタフェース規格による第２装置とを接続するものであり、第１装置の第１のインタフェース規格のドライバと、第２装置の第２のインタフェース規格のレシーバとを接続するケーブル内の信号線に、第１のインタフェース規格のドライバが必要とする終端抵抗値の範囲に入る抵抗器を挿入し、この挿入された抵抗器によって、第１のインタフェース規格のドライバの終端抵抗値が、第１のインタフェース規格のドライバが必要とする終端抵抗値の範囲に収まることにより、第１と第２装置間の信号伝送が正しく行われるように構成した。これによって、インタフェース規格の異なる装置同士を、電源が不要な簡易な接続構成で接続することができることができる。
【図面の簡単な説明】
【図１】本発明の原理図である。
【図２】ＲＳ−２３２ＣとＲＳ−４２２Ａとの電気的な規格を説明する図である。
【図３】一般的なＲＳ−４２２Ａ制御可能なＶＴＲの内部回路図である。
【図４】ＲＳ−２３２ＣドライバとＲＳ−４２２Ａレシーバとの接続伝送線路図である。
【図５】ＲＳ−２３２Ｃドライバ信号を図４に示す抵抗器の挿入された伝送線路を介してＲＳ−４２２Ａレシーバで受け取る場合の入出力電圧の関係を示す図である。
【図６】ＲＳ−４２２Ａドライバ信号をＲＳ−２３２Ｃレシーバで受け取る場合の入出力電圧の関係を示す図である。
【図７】９ピンタイプのＲＳ−４２２Ａコネクタ（メス）を持つＶＴＲの端子配置図である。
【図８】９ピンタイプのＲＳ−２３２Ｃコネクタ（オス）を持つコンピュータの端子配置図である。
【図９】図１に示す接続ケーブルの外観図である。
【図１０】図１に示す接続ケーブルの内部接続図である。
【図１１】異種インタフェース規格による装置間の接続構成ブロック図である。
【図１２】ＲＳ−４２２ＡのＶＴＲの通信フォーマット図である。
【図１３】電圧変換装置のブロック図である。
【符号の説明】
１０…コンピュータ、１３…ＲＳ−２３２Ｃコネクタ、２０…ＶＴＲ、２３…ＲＳ−４２２Ａコネクタ、４０…ケーブル、４１…ケーブルのＲＳ−４２２Ａコネクタ、４２…ケーブルのＲＳ−２３２Ｃコネクタ。
【図１】
0004547722.tif 000002
【図２】
0004547722.tif 000003
【図３】
0004547722.tif 000004
【図４】
0004547722.tif 000005
【図５】
0004547722.tif 000006
【図６】
0004547722.tif 000007
【図７】
0004547722.tif 000008
【図８】
0004547722.tif 000009
【図９】
0004547722.tif 000010
【図１０】
0004547722.tif 000011
【図１１】
0004547722.tif 000012
【図１２】
0004547722.tif 000013
【図１３】
0004547722.tif 000014